(57)【要約】      （修正有）【課題】マージナル孔を有する用紙を搬送する搬送トラクタを備える用紙搬送装置に関し、用紙押え部の開放時の力の入れ過ぎや繰り返し開閉による摩耗によっても作業者に衝撃を与えず、作業性の悪化を防止する。【解決手段】用紙のマージナル孔にピン付きベルト３５に嵌合させ、回動自在な用紙押え部３３で押えて搬送する樹脂製の搬送トラクタ１２Ａが用紙の幅方向調整用の調整軸１４に摺動自在に取り付けられ、調整軸１４上で搬送トラクタ１２Ａと共に摺動自在なトラクタ補助部１３Ａを搬送トラクタ１２Ａに組み合わせ、用紙押え部３３を開状態とする際に、トラクタ補助部１３Ａに形成された延出部で当該用紙押え部３３を開放位置で回動止めさせる構成とする。【選択図】図３
2014117840.tif 000002
【特許請求の範囲】
【請求項１】
マージナル孔を備える用紙に対して、当該用紙のマージナル孔をピン付きベルトに嵌合させ、回動自在な用紙押え部で押えて搬送する樹脂製の搬送トラクタを有し、当該搬送トラクタが用紙の幅方向調整用の調整軸に摺動自在に取り付けられる用紙搬送装置であって、
前記調整軸上で前記搬送トラクタと共に摺動自在であり、当該搬送トラクタの前記用紙押え部を開放位置で回動止めさせる延出部が形成されたトラクタ補助部を有することを特徴とする用紙搬送装置。
【請求項２】
請求項１記載の用紙搬送装置であって、前記搬送トラクタは前記用紙押え部と共に前記用紙を挾持するベルト支持部を備えるもので、前記トラクタ補助部に当該ベルト支持部と係合する係合部が形成されることを特徴とする用紙搬送装置。
【請求項３】
請求項１記載の用紙搬送装置であって、前記搬送トラクタは前記用紙押え部と共に前記用紙を挾持するベルト支持部を備えるもので、前記トラクタ補助部に前記ピン付きベルトを回避しつつ当該ベルト支持部の底部を載置させる段差載置部が形成されることを特徴とする用紙搬送装置。
【発明の詳細な説明】
【技術分野】
【０００１】
本発明は、マージナル孔を有する用紙を搬送する搬送トラクタを備える用紙搬送装置に関する。
【背景技術】
【０００２】
近年、例えば大量の印刷物を作製する場合、連続用紙を搬送させて印刷を行うことが一般的であり、連続用紙には搬送させるために幅方向両側にマージナル孔が形成されたマージナル部が後に断裁廃棄され、若しくはそのままとなるものとして設けられ、ピン付きの搬送ベルトにより当該マージナル孔にピンを嵌合させてベルト回転させることで用紙搬送する搬送トラクタが用いられている。このような搬送トラクタの大部分は樹脂により成形されることから、特に回動部分の摩耗等による悪影響を回避する必要がある。
【０００３】
図５に、従来の搬送トラクタの説明図を示す。図５に示す搬送トラクタは、特許文献１に開示されている用紙送りトラクタであり、ここでは概略を説明する。図５（Ａ）において、用紙送りトラクタ１０１は、本体フレーム１０２に蓋体１０３が回動自在に取り付けられて、本体フレーム１０２に対して補助フレーム１０４がピン付きベルトを支持しながら当該本体フレーム１０２とにより当該ピン付きベルトを回転自在に挾持している構成である。
【０００４】
本体フレーム１０２及び補助フレーム１０４には、ピン付きベルト１０５を回転させるための断面角状の駆動軸を受ける駆動軸受孔１０４Ａが形成されると共に、用紙幅方向に用紙送りトラクタ１０１を用紙幅方向に位置調整させる調整軸を受ける調整軸受孔１０４Ｂが形成されている。本体フレーム１０２には、特許文献１では蓋体１０３が回動自在に軸支されているが、ここでは２つのつがい部１０６Ａ，１０６Ｂで回動自在とし、当該蓋体１０３に対してコイルバネ１０７が懸架される。また、本体フレーム１０２には調整軸に対して調整後に固定する固定部（固定レバー１０８）が設けられている。
【０００５】
上記蓋体１０３は、把持部１１１が形成され、ピン付きベルト１０５に対応する部分が開口されている。特許文献１では、この開口部分の周囲に紙押え板が取り付けられているが、ここでは、紙押え板を設けない場合として対向面となる押え面１１２Ａ，１１２Ｂを紙押えの役割とさせる。
【０００６】
このような用紙送りトラクタ１０１は、図示しない駆動軸及び調整軸に取り付け、適宜調整軸上で位置調整した後に、連続用紙１２１のマージナル部１２３に形成されたマージナル孔１２２Ａ（１２２Ｂは対向側として図示していない）をピン付きベルト１０５のピンに嵌合させることで用紙セットする。
【０００７】
そして、図５（Ｂ）に示すように、蓋体１０３を用紙側に回動させることで補助フレーム１０４との間で用紙１２１を挾持した状態とさせ、駆動軸を回転させることでピン付きベルト１０５が回転されて当該用紙１２１が搬送されるものである。
【先行技術文献】
【特許文献】
【０００８】
【特許文献１】実開平０１−１１８９４７号公報
【発明の概要】
【発明が解決しようとする課題】
【０００９】
上記用紙送りトラクタ１０１は、本体フレーム１０２に対して蓋体１０３を回動自在とさせるつがい部１０６Ａ，１０６Ｂには、切り込み部分が形成されており、当該切り込み部分の当接状態で図５（Ｂ）に示す状態から図５（Ａ）に示す蓋体１０３を立設した状態とさせている。
【００１０】
しかしながら、上記のような用紙送りトラクタ１０１は、その大部分が樹脂により成形されており、蓋体１０３の開状態、閉状態を繰り返すうちにつがい部１０６Ａ，１０６Ｂの切り込み部分が摩耗することにより、又は、作業者の力の入れ過ぎにより、図５（Ｃ）に示すようにコイルバネ１０７の付勢力で反り返る状態となり、その勢いで作業者に思わぬ衝撃を与えてしまうと共に、作業性が悪くなるという問題がある。
【００１１】
そこで、本発明は上記課題に鑑みなされたもので、用紙押え部の開放時の力の入れ過ぎや繰り返し開閉による摩耗によっても作業者に衝撃を与えず、作業性の悪化を防止する用紙搬送装置を提供することを目的とする。
【課題を解決するための手段】
【００１２】
上記課題を解決するために、請求項１の発明では、マージナル孔を備える用紙に対して、当該用紙のマージナル孔をピン付きベルトに嵌合させ、回動自在な用紙押え部で押えて搬送する樹脂製の搬送トラクタを有し、当該搬送トラクタが用紙の幅方向調整用の調整軸に摺動自在に取り付けられる用紙搬送装置であって、前記調整軸上で前記搬送トラクタと共に摺動自在であり、当該搬送トラクタの前記用紙押え部を開放位置で回動止めさせる延出部が形成されたトラクタ補助部を有する構成とする。
【００１３】
請求項２，３の発明では、「前記搬送トラクタは前記用紙押え部と共に前記用紙を挾持するベルト支持部を備えるもので、前記トラクタ補助部に当該ベルト支持部と係合する係合部が形成される」構成であり、
「前記搬送トラクタは前記用紙押え部と共に前記用紙を挾持するベルト支持部を備えるもので、前記トラクタ補助部に前記ピン付きベルトを回避しつつ当該ベルト支持部の底部を載置させる段差載置部が形成される」構成である。
【発明の効果】
【００１４】
請求項１の発明によれば、マージナル孔を備える用紙をピン付きベルトに嵌合させ、回動自在な用紙押え部で押えて搬送する樹脂製の搬送トラクタが用紙の幅方向調整用の調整軸に摺動自在に取り付けられ、調整軸上で搬送トラクタと共に摺動自在なトラクタ補助部に形成した延出部で用紙押え部を開放位置で回動止めさせる構成とすることにより、用紙押え部の開放時の力の入れ過ぎや繰り返し開閉による摩耗によってもトラクタ補助部の延出部で常に用紙押えの開放位置で回動止めさせることから、作業者に衝撃を与えず、作業性の悪化を防止することができるものである。
【００１５】
請求項２，３の発明によれば、トラクタ補助部に、ベルト支持部に係合する係合部を形成し、又は、ピン付きベルトを回避しつつ当該ベルト支持部の底部を載置させる段差載置部を形成することにより、搬送トラクタを調整軸上でトラクタ補助部と共に調整移動させる際に当該搬送トラクタの調整軸との遊び間隙によるガタツキを防止して円滑な移動を行わせることができるものである。
【図面の簡単な説明】
【００１６】
【図１】本発明に係る用紙搬送装置の概念構成図である。
【図２】図１の搬送トラクタ及びトラクタ補助部の組立状態の説明図である。
【図３】図１の搬送トラクタ及びトラクタ補助部の軸移動及び用紙押え部の開状態の説明図である。
【図４】本発明に係る用紙搬送装置におけるトラクタ補助部の他の形状の説明図である。
【図５】従来の搬送トラクタの説明図である。
【発明を実施するための形態】
【００１７】
以下、本発明の実施形態を図により説明する。
図１に、本発明に係る用紙搬送装置の概念構成図を示す。図１（Ａ）において、用紙搬送装置１１は、左右対称に搬送トラクタ１２Ａ，１２Ｂが配置され、それぞれの搬送トラクタ１２Ａ，１２Ｂにトラクタ補助部１３Ａ，１３Ｂが組み合わされる（詳細は後述する）。
【００１８】
用紙搬送装置１１は、搬送される連続用紙の幅方向に幅調整軸１４及びトラクタ駆動軸１５が懸架され、それぞれ搬送トラクタ１２Ａ，１２Ｂを貫通させ、幅調整軸１４は搬送トラクタ１２Ａ，１２Ｂに組み合わされたトラクタ補助部１３Ａ，１３Ｂをも貫通させる。当該幅調整軸１４及びトラクタ駆動軸１５に対して、その軸方向に搬送トラクタ１２Ａ，１２Ｂ及びトラクタ補助部１３Ａ，１３Ｂを摺動自在としている。
【００１９】
そして、搬送される用紙は、連続用紙２１であり、幅方向の両側にマージナル部２２Ａ，２２Ｂが設けられ、それぞれのマージナル部２２Ａ，２２Ｂにはマージナル孔２３が後述の搬送トラクタ１２Ａ，１２Ｂのピン付きベルトのピンピッチで形成されたものである。用紙搬送に関しては前述の図５と同様である。
【００２０】
以下、搬送トラクタ及びトラクタ補助部は左右同一なので、一方の搬送トラクタ１２Ａ及びトラクタ補助部１３Ａを主に説明する。図１（Ｂ）に示す搬送トラクタ１２Ａ（１２Ｂ）の構成は、図５において説明した従前の用紙送りトラクタと略同一である。すなわち、ベース板３２は図５の本体フレーム１０２に相当し、以下、用紙押え部３３は図５の蓋体１０３に、ベルト支持部３４は補助フレーム１０４に、ピン付きベルト３５は図５のピン付きベルト１０５に、つがい部３６Ａ，３６Ｂは図５のつがい部１０６Ａ，１０６Ｂに、コイルバネ３７は図５のコイルバネ１０７に、軸固定レバー３８は図５のロック部材１０８に、駆動軸受孔４３は図５の駆動軸受孔１０４Ａに、調整軸受孔４４は図５の調整軸受孔１０４Ｂに相当する。
【００２１】
また、用紙押え部３３において、把持部４１は図５の把持部１１１、用紙押え面４２Ａ，４２Ｂは図５の用紙押え面１１２Ａ，１１２Ｂに相当する。一方、ベルト支持部３４は、図５の補助フレーム１０４とはその形状を異ならせ、箱状として対向する搬送トラクタ側を開放としたものである。この場合、側板３４Ａ及びその上下一部分が後述のトラクタ補助部１３Ａの規制部（５５）と係合する役割をなす。すなわち、ベース板３２とベルト支持部３４との間でピン付きベルト３５を位置させ、閉状態の用紙押え部３３の用紙押え面４２Ａ，４２Ｂと共にベルト支持部３４の上面で用紙２１を挾持状態とするものである。
【００２２】
上記トラクタ補助部１３Ａ（１３Ｂ）は、図１（Ｃ）に示すように、底板５１の両側に「コ」の字状に対向側板５２Ａ，５２Ｂが一体的に立設状態で形成され、底板５１より距離をもって上記幅調整軸を通す軸受孔が形成されて調整軸受部５３Ａ，５３Ｂが設けられる。この対向側板５２Ａ，５２Ｂ間に搬送トラクタ１２Ａが位置される。対向側板５２Ａには延出部であるストッパレバー５４が一体的にに立設状態で形成され、当該ストッパレバー５４の一部を適宜傾斜させた形状としている。また、対向側板５２Ｂの一端から対向側板５２Ａ側に向かって係合部である規制部５５が一体的に形成されたものである。
【００２３】
ここで、図２に、図１の搬送トラクタ及びトラクタ補助部の組立状態の説明図を示す。まず、図２（Ａ）において、トラクタ補助部１３Ａの対向側板５２Ａ，５２Ｂ間に搬送トラクタ１２Ａを位置させる。そして、図２（Ｂ）に示すように、規制部５５をベルト支持部３４の内部側面３４Ａに沿って入り込ませることで組み合わせている。この場合、ベース板３２の図示しない調整軸受孔、ベルト支持部３４の調整軸受孔４４と、トラクタ補助部１３Ａに形成されている調整軸受部５３Ａ，５３Ｂとが同位置となる。これによって、搬送トラクタ１２Ａのベルト支持部３４とトラクタ補助部１３Ａとが係合規制状態となる。
【００２４】
なお、トラクタ補助部１３Ａの底板５１と搬送トラクタ１２Ａの底面とは、少なくともピン付きベルト３５のピンが当たらないように距離を設けている。この意味では規制部５５がトラクタ補助部１３Ａの搬送トラクタ１２Ａへの組み合わせ時の位置合わせの役割をも果たしている。
【００２５】
そこで、図３に、図１の搬送トラクタ及びトラクタ補助部の軸移動及び用紙押え部の開状態の説明図を示す。上記搬送トラクタ１２Ａとトラクタ補助部１３Ａとが組み合わされた図２（Ｂ）の状態で、図３（Ａ）に示すように、ベース板３２の図示しない調整軸受孔、ベルト支持部３４の調整軸受孔４４及びトラクタ補助部１３Ａの調整軸受部５３Ａ，５３Ｂに幅調整軸１４が貫通される。また、ベース板３２の図示しない駆動軸受孔及びベルト支持部３４の駆動軸受孔４３にトラクタ駆動軸１５が貫通される。このとき、軸固定レバー３８は回転によって当然に固定開放状態とされている。
【００２６】
ここで、作業者がストッパレバー５４を持ち、トラクタ補助部１３Ａと共に搬送トラクタ１２Ａを幅調整軸１４上を摺動させる（トラクタ駆動軸１５上でも摺動される）。このとき、トラクタ補助部１３Ａの規制部５５とベルト支持部３４とが係合規制状態であることから、当該搬送トラクタ１２Ａの調整軸１４との遊び間隙よる破線矢印で示すようなガタツキ（回転ガタツキ）を防止して円滑な移動を行わせることができるものである。そこで、用紙２１の幅に応じた位置まで移動させたときに軸固定レバー３８を回転させて軸固定させるものである。
【００２７】
そして、作業者が把持部４１を持って用紙押え部３３を開放状態とさせるべく回動させると、当該用紙押え部３３はストッパレバー５４を越えては回動せずに開放位置に停止されるものである。この状態で前述の図５（Ａ）に示すように、用紙２１のマージナル孔２３をピン付きベルト３５のピンに嵌合させ、用紙押え部３３を回動させて閉状態とさせることで用紙搬送ができる状態となり、トラクタ駆動軸１５を回転駆動させることでピン付きベルト３５の回転により用紙搬送が行われるものである。なお、搬送トラクタ１２Ａの幅調整軸１４上での位置調整のための摺動を、図３（Ｂ）に示す用紙押え部３３を開放状態とさせた状態で行ってもよい。
【００２８】
このように、用紙押え部３３の開放時の力の入れ過ぎや繰り返し開閉による摩耗によってもトラクタ補助部１３Ａ（１３Ｂ）の延出部５４で常に用紙押えの開放位置で回動止めさせることから、作業者に衝撃を与えず、作業性の悪化を防止することができるものである。
【００２９】
次に、図４に、本発明に係る用紙搬送装置におけるトラクタ補助部の他の形状の説明図を示す。図４（Ａ）において、トラクタ補助部１３Ａは、図１に示す規制部５５に代えて、底板５１に段差を設けて２段とした形状としたものである。すなわち、図１に示す底板５１と同等位置の本体底板５１Ａより１段上げた段差載置部である規制底板５１Ｂを形成させた形状として対向側板５２Ｂを縦寸法で短くしたものである。この場合、本体底板５１Ａがピン付きベルト３５のを回避させる位置となる。
【００３０】
そして、搬送トラクタ１２Ａを対向側板５２Ａ，５２Ｂ間に挿入し、図４（Ｂ）に示すように、ベルト支持部３４の底部の一部を規制底板５１Ｂ上に載置させ、ベース板３２の図示しない調整軸受孔、ベルト支持部３４の調整軸受孔４４と、トラクタ補助部１３Ａに形成されている調整軸受部５３Ａ，５３Ｂとを同位置とさせるものである。
【００３１】
トラクタ補助部１３Ａ（１３Ｂ）を上記形状とすることによっても、トラクタ補助部１３Ａで搬送トラクタ１２Ａを幅調整軸１４上を摺動させる際、トラクタ補助部１３Ａの規制底板５１Ｂと載置されたベルト支持部３４の底部との接触で搬送トラクタ１２Ａの調整軸１４との遊び間隙よるガタツキ（回転ガタツキ）を防止して円滑な移動を行わせることができるものである。
【産業上の利用可能性】
【００３２】
本発明の用紙搬送装置は、搬送用のマージナル孔が形成された用紙を搬送させる搬送トラクタ及びこれを用いた装置の製造産業及びこれを使用する印刷産業等に利用可能である。
【符号の説明】
【００３３】
１１            用紙搬送装置
１２            搬送トラクタ
１３            トラクタ補助部
１４            幅調整軸
１５            トラクタ駆動軸
２１            連続用紙
２２            マージナル部
２３            マージナル孔
３２            ベース板
３３            用紙押え部
３４            ベルト支持部
３５            ピン付きベルト
３６            つがい部
３７            コイルバネ
３８            軸固定レバー
４１            把持部
４２            用紙押え面
４３            駆動軸受孔
４４            調整軸受孔
５１            底板
５１Ａ          本体底板
５１Ｂ          規制底板
５２            対向側板
５３            調整軸受部
５４            ストッパレバー
５５            規制部
【図１】
2014117840.tif 000003
【図２】
2014117840.tif 000004
【図３】
2014117840.tif 000005
【図４】
2014117840.tif 000006
【図５】
2014117840.tif 000007